(57)【要約】【課題】  ポンプ車に装備される消火栓口対応の吸管ストレーナーを、迅速且つ簡便に河川や池などの自然水利用対応になし、寸秒を争う火災現場に於いて適確な対応処置が図られるようにする。【解決手段】  ポンプ車の消火栓接続金具の外周箇所に対し、該箇所を対称軸線にして一定長の抛物線形状をなした複数の筋骨材を、消火栓接続金具の前後方向側へ一体となして１８０°前後の扇開閉移動可能に取付けしめた構成にする。而して、上記複数の筋骨材は消火栓接続金具の外周に固定される環材に対し、隣り合う夫々れの脚部を交叉状態で且つ回動可能に取付けた構成になすのであり、また上記複数の筋骨材が消火栓接続金具の前方側へ扇開移動したさい、必要に応じその外周面を網体で被覆される構成にする。このさい、上記網体は消火栓接続金具の後方側へ蛇腹状に滞置させ、上記複数の筋骨材がその前方へ扇開閉移動したさい、その外周を被覆するように前方へ引き出させ、且つその開放口を閉塞させるようにする。【選択図】      図２
2008036152.tif 000002
【特許請求の範囲】
【請求項１】
消火栓接続金具の外周箇所に、該箇所を対称軸線にして一定長の抛物線形状をなした複数の筋骨材を、消火栓接続金具の前後方向側へ一体となして１８０°前後の扇開閉移動可能に取付けしめた構成を特徴とするポンプ車の装備用吸管ストレーナー。
【請求項２】
上記複数の筋骨材は、消火栓接続金具の外周に固定される環材に対し、隣り合う夫々れの脚部を交叉状態で且つ回動可能に取付けた構成となしてあることを特徴とする請求項１記載のポンプ車の装備用吸管ストレーナー。
【請求項３】
上記複数の筋骨材が消火栓接続金具の前方側へ扇開移動したさい、その外周面を網体で被覆する構成となしたことを特徴とする請求項１又は２記載のポンプ車の装備用吸管ストレーナー。
【請求項４】
上記網体は消火栓接続金具の後方側へ蛇腹状に滞置させ、上記複数の筋骨材がその前方へ扇開閉移動したさい、その外周を被覆するように前方へ引き出され、且つその開放口を閉塞させる構成となしたことを特徴とする請求項３記載のポンプ車の装備用吸管ストレーナー。
【発明の詳細な説明】
【技術分野】
【０００１】
本発明は消防用ポンプ車に装備される吸管ストレーナーに関する。
【背景技術】
【０００２】
ポンプ車が火災現場へ出動して消火活動を行うさい、その水源利用では市街地では専ら設置用の消火栓を使用し、その他では河川、池、プール、防火水槽などの自然水が利用されるものとなっている。
従って、その水源利用に対し迅速な対応を可能にするべく、ポンプ車の左右側には消火栓用の接続口を備えた吸管ストレーナーと、自然水用の籐籠を備えた吸管ストレーナーが備えたものとなされており、このさい一般的には消火栓の対応使用が多いことから、ポンプ車の運転席側の吸管ストレーナーは消火栓用のものが装備されており、その反対側には自然水利用の籐籠付き吸管ストレーナーを装備させ、火災現場で運転者がこの装備の認識のもとで迅速且つ簡便な使用対応が図られるようになしてある。
【特許文献１】実用新案登録第３０５１３７０号
【発明の開示】
【発明が解決しようとする課題】
【０００３】
上記吸管ストレーナーの長さ寸法は凡そ８ｍであって、夫々れが輪状に巻かれてポンプ車の両側に収納されており、而して火災現場では適宜これを引出して消火栓に接続したり、河川の水面へ投入させるのであるが、これの簡便且つ迅速な動作には水源側へその引き出し側となる吸管ストレーナーが位置するようにポンプ車を進入して停止させることが望まれる。ところが、実際の火災現場では、地形や道路事情などから上記の如き水源側へ好適な対応関係にポンプ車を停止させることができない場合が多々ある。従って、この場合はポンプ車の反対側からの吸管ストレーナーを車体巾で横切るように地面上を這わせ、水源へ導くようにせざるを得ない場合が生ずる。このさい、吸管ストレーナーの長さ寸法は通常８ｍの長さであることから、路面上を這う車体巾間（凡そ２ｍ）の損失から水源に到達し得ない場合があり、新たに補助用の吸管ストレーナーを接続したりする必要に迫られ、迅速且つ簡便な対応が困難となる問題がある。
本発明は上記問題点を解決せんとするものである。
【課題を解決するための手段】
【０００４】
本発明はポンプ車の消火栓接続金具の外周箇所に対し、該箇所を対称軸線にして一定長の抛物線形状をなした複数の筋骨材を、消火栓接続金具の前後方向側へ一体となして１８０°前後の扇開閉移動可能に取付けしめた構成にする。而して、上記複数の筋骨材は消火栓接続金具の外周に固定される環材に対し、隣り合う夫々れの脚部を交叉状態で且つ回動可能に取付けた構成になすのであり、また上記複数の筋骨材が消火栓接続金具の前方側へ扇開移動したさい、その外周面を網体で被覆される構成にする。このさい、上記網体は消火栓接続金具の後方側へ蛇腹状に滞置させ、上記複数の筋骨材がその前方へ扇開閉移動したさい、その外周を被覆するように前方へ引き出させ、且つその開放口を閉塞させるようにするのである。
【発明の効果】
【０００５】
本発明は上記の通りポンプ車に装備させる吸管ストレーナーの消火栓接続金具の外周箇所に対し、該箇所を対称軸にして一定長の抛物線形状をなした複数の筋骨材を、消火栓接続金具の前後方向側へ一体になして１８０°前後の扇開閉移動可能に取付けしめた構成になすのであり、而して上記複数の筋骨材は通常時に消火栓接続金具の後方側で管体外周を取囲む閉塞状態に装備させておくのであり、従って従来のポンプ車に於ける運転席側が消火栓口対応となされていても、これを河川などの自然水利用に対応させる場合は、上記消火栓接続金具の後方側へ装備させた複数の筋骨材のうち少なくともその１つを手に持って消火栓接続金具の前方へ向かって引き起こすようにするだけで、複数の筋骨材が一体となってその前方へ扇開閉移動され、消火栓接続金具の前面側を従来の籐籠を取付けた如き状態のものにさせることができるものとなり、車体の反対側から自然水対応の吸管ストレーナーを引き出したりすることなく、直ちに迅速且つ簡便な対応が可能になるのである。このことは、車体の反対側の吸管ストレーナーについても、同様の対応使用になされているため、運転者は到達した火災現場で運転席サイドが消火栓対応口の吸管ストレーナー、そして反対側が自然水対応口の吸管ストレーナーが装備されているとした従来の認識を全く不要にして、即ち何らのためらいもなくポンプ車を火災現場へ乗り入れ、これを消火栓口に対しては勿論のこと河川などの自然水源利用の何れに対しても迅速且つ簡便な対応を可能ならしめる上で著効がある。
【発明を実施するための最良の形態】
【０００６】
図１は本発明で使用する筋骨材１の斜視図であって、その構成は太さ径３ｍｍ〜５ｍｍで且つ長さ寸法Ｌを２５ｃｍ〜３０ｃｍの抛物線形状に折り曲げしめた針金線１ａの複数本（通常４本〜１０本）を作成し、これを同様針金線で直径１１ｃｍ〜１２ｃｍとなした輪体１ｂに対し、隣り合う夫々れの脚部１ｃをイ、ロの如き交叉状態で且つ回動自在に取付けた構成になさしめる。
【０００７】
図２は上記筋骨材１をポンプ車に装備されている吸管ストレーナー２に対して取付けしめた状態の斜視図であり、具体的には該吸管ストレーナー２に於ける消火栓対応接続金具３の外周箇所に対し、上記筋骨材１の輪体１ｂを取付板４を使用して固定し、このさい筋骨材１の各針金線１ａが該輪体１ｂを介し、その前後（ｍ，ｎ）方向へ１８０°前後の扇開回動移動可能になされるものとなしてある。該図面で５は金具３の後方側へ装着させてなる次述する被覆用の網体であって、蛇腹状の筒状にして滞留させてある。なお、６は筋骨材１の周囲を結束した紐体である。
【０００８】
図３は上記の如く装着した筋骨材１を前方ｍへ向け扇開移動させる状態を示すものであって、筋骨材１の扇開移動にさいしては上記紐体６を解くと共に、針金線１ａの１つを手指で掴み図示例で手前側ｍへ引起こすようになすのであり、このとき各針金線１ａの隣り合う脚部イ、ロ、・・・が各抛物線状の股内へ交叉する状態に取付けてあることにより、各針金線１ａが一斉に引き起こされ、図示例の如き扇開状を形成し、次には手前側へ閉塞する状態になされる。図４はこの状態を示す斜視図である。
【０００９】
図５は筋骨材１を上記図４の状態に扇開閉塞させたあと、消火栓接続金具３の後方側へ滞留させてある筒状の網体４を前方ｍ側へ引張ると共に、その先端口を搾り球体付き紐ｐで閉塞させた状態を示す。なお、図面で７は網体４の外周の適当間隔に取付けたリング材であって、上記網体５の引き出しによる被覆動作を容易ならしめたり、また水汲上げ時の実際使用で網体４が筋骨材１の外周面上で一定の被覆形状を保持させる上で役立つものとなる。
【００１０】
本発明は以上の如き構成であって、即ち本発明のポンプ車に於ける吸管ストレーナー２は、ポンプ車の運転席の左側サイド或いは右側サイドの何れについても図２で示した如き状態の装備となされているのである。従って本発明では消火栓対応の接続金具３が前面側へ直接的に露出されるものとなっているのであり、火災現場ではポンプ車の左右側に於ける何れのサイドからでも、吸管ストレーナー２をそのままに引出し、且つ消火栓と接続させることのできるものとなるのであるが、今若しこれを池や河川など自然水利用の対応になさしめんとする場合は、上記図３〜図５で説明した如き状態に直ちに変更し、これを上記水源へ投入させることのできるものとなって何ら戸惑いを生じさせたりすることなく作業を遂行できる。
【００１１】
上記実施例に於ける実際使用で、消火栓接続金具３の前面部には消火栓媒介金具などが取付けてあり、従ってこれを介してその脱着操作がワンタッチで行われるものとなっているが、上記図面では該媒介金具などの図示を省略したものになしてある。なお、図６は本発明の如き構成としない従来に於ける自然水対応用の吸管ストレーナー斜視図であり、８はその先端部を被覆するために着装される籐籠である。
【００１２】
本発明者の実験結果によれば、上記の如き籐籠タイプへの変更対応を僅か１０秒程度で可能にすることができるのであり、即ち本発明によれば火災現場では一切のためらいもなくポンプ車を乗入れ、消火栓或いは自然水などへの対応が迅速且つ適確に可能になる上で著効がある。なお、その自然水利用に於ける水深は本発明では凡そ１０ｃｍでも可能になるのであり、加えて全体構成が簡単で製作が容易であることは安価なコストで、しかも従来品に改良装備でき、また保守管理上にも優れるものである。
【００１３】
上記実施例に於ける自然水対応で筋骨材１の外周には網体５を被覆させたものについて説明したが、水源が防火水槽やプールなどでその使用を省略させることができる。
【図面の簡単な説明】
【００１４】
【図１】本発明で使用する筋骨材の斜視図である。
【図２】上記筋骨材をポンプ車に装備される吸管ストレーナーに取付けた状態の斜視図である。
【図３】上記筋骨材を前方側へ扇開移動させる状態を示す斜視図である。
【図４】上記の終了時の斜視図である。
【図５】上記で筋骨材１の外周面に網体を被覆させた状態の斜視図である。
【図６】従来に於ける籐籠の使用対応を示す斜視図である。
【符号の説明】
【００１５】
１      筋骨材
２      吸管ストレーナー
３      消火栓接続金具
４      取付板
５      網体
６      紐体
７      リング材
８      籐籠
【図１】
2008036152.tif 000003
【図２】
2008036152.tif 000004
【図３】
2008036152.tif 000005
【図４】
2008036152.tif 000006
【図５】
2008036152.tif 000007
【図６】
2008036152.tif 000008